(57)【要約】【課題】アンテナを小型化すると共にアンテナ効率を高め、さらに人体による利得劣化の低減を防止する無線装置を提供する。【解決手段】グランド部２を有し、一端を開放した切り欠き部３を備えた回路基板４と、この回路基板４上に設けられ、前記切り欠き部３に高周波電流を給電する無線回路部５とによりノッチアンテナを構成する無線装置１である。この無線装置１では、回路基板４の一端側に、前記グランド部２と接続され且つ前記切り欠き部３を延長する折返し部９を形成する。折返し部９は、回路基板４の一部を一体的に折り曲げて形成する。これにより、ノッチアンテナの長さが短くなり、アンテナの小型化が図れ、アンテナ効率が高まる。【選択図】  図１
2004215132.tif 000002
【特許請求の範囲】
【請求項１】
グランド部を有し、一端を開放した切り欠き部を備えた回路基板と、この回路基板上に設けられ、前記切り欠き部に高周波電流を給電する無線回路部とによりノッチアンテナを構成する無線装置であって、
前記回路基板の一端側に、前記グランド部と接続され且つ前記切り欠き部を延長する導電性の折返し部を形成したことを特徴とする無線装置。
【請求項２】
請求項１記載の無線装置であって、
前記回路基板の一部を一体的に折り曲げて前記折返し部としたことを特徴とする無線装置。
【請求項３】
請求項１記載の無線装置であって、
前記回路基板を多層構造とし、そのうちの一層をフレキシブルプリントケーブルとし、そのフレキシブルプリントケーブルを折り曲げて前記折返し部としたことを特徴とする無線装置。
【請求項４】
請求項１記載の無線装置であって、
金属板を折り曲げて前記折返し部としたことを特徴とする無線装置。
【請求項５】
請求項４記載の無線装置であって、
前記無線装置を内部に収納させる筐体と前記回路基板とを固定するネジにより前記折返し部を前記回路基板に固定させたことを特徴とする無線装置。
【請求項６】
請求項１記載の無線装置であって、
前記折返し部は、前記回路基板に対してほぼ垂直に立ち上がる垂直部と、この垂直部の先端より前記切り欠き部の切り欠き方向とほぼ直交する方向に延在して当該切り欠き部を横切って形成される、前記回路基板とほぼ平行な平行部とからなることを特徴とする無線装置。
【請求項７】
請求項１記載の無線装置であって、
前記無線装置を手に持ったときに、その手と反対側に前記折返し部を形成したことを特徴とする無線装置。
【発明の詳細な説明】
【０００１】
【発明の属する技術分野】
本発明は、無線装置に関し、詳細には小型化が図れると共にアンテナ効率及び利得の向上が図れる無線装置に関する。
【０００２】
【従来の技術】
例えば、近年、携帯電話機においては、利便性を高めると共に斬新な意匠の創作という要求からアンテナを筐体に内蔵させることが行われている。しかしながらアンテナを筐体に内蔵すると、人体の手や頭部などの外乱を受け易くなり、例えばエレメントを筐体から引き出し自在なホイップアンテナに対して著しく利得が劣化する懸念がある。
【０００３】
これらの問題を解決する技術がこれまでに幾つか提案されている（例えば、特許文献１、特許文献２、特許文献３参照）。特許文献１に記載される技術は、アンテナを囲む筐体の厚みを例えば細くすることによって、物理的に使用者（ユーザ）が内蔵されているアンテナ部分を手で覆うことを防止しようとしたものである。
【０００４】
特許文献２に記載される技術は、モノポールアンテナ、逆Ｆアンテナ、マイクロストリップアンテナの何れかで構成された内蔵アンテナの放射方向が、携帯機器の卓上への載置面側を避けるようにすることで、手や金属物体の影響を受け難くしてアンテナの利得を改善したものである。
【０００５】
特許文献３に記載される技術は、放射導体と接地導体で構成されるアンテナにおいて、人体頭部側と放射導体の間に接地導体を配置することで、人体頭部側への放射を低減し、利得を改善したものである。
【０００６】
【特許文献１】
特開２００２−５１１２５号公報（第３頁、第１図）
【特許文献２】
特開２００２−２３７７６２号公報（第２頁及び第３頁、第２図）
【特許文献３】
特開平７−７９１１０号公報（第３頁及び第４頁、第１図）
【０００７】
【発明が解決しようとする課題】
ところが、特許文献１の技術では、利得の改善効果はあるが携帯電話機の小型化やデザイン（意匠）を壊してしまう場合があるといったことが問題になる。
【０００８】
また、特許文献２の技術では、電気特性面の改善点においては有効である。しかし、アンテナ近傍に金属物を設置すると、著しくアンテナ特性が劣化する場合があり、アンテナを囲むエリアの小型化が困難であることが問題となる。
【０００９】
また、特許文献３の技術では、アンテナ部が手で覆われないことを前提としており、その場合には有効な手法であるが、実際にはユーザに端末の保持形態を制限するものであり不都合がある。また、アンテナ部を手で覆った場合には、手と接地導体に放射導体が挟まれることになり、著しく利得が劣化する懸念がある。
【００１０】
そこで、本発明は、このような課題に鑑みてなされたものであり、小型化を図ることができると共に、アンテナ効率及び利得の向上が図れる無線装置を提供することを目的とする。
【００１１】
【課題を解決するための手段】
本発明は、グランド部を有し、一端を開放した切り欠き部を備えた回路基板と、この回路基板上に設けられ、前記切り欠き部に高周波電流を給電する無線回路部とによりノッチアンテナを構成する無線装置である。この無線装置では、回路基板の一端側に、グランド部と接続され且つ切り欠き部を延長する導電性の折返し部を形成する。
【００１２】
本発明の無線装置によれば、切り欠き部を延長する導電性の折返し部を形成すると、ノッチアンテナとして機能する切り欠き部の物理的な長さが短くなると共に電気的に切り欠き部の長さも短くなる。電気的に切り欠き部の長さが短くなるというのは、折返し部を形成することによって、この折返し部の先端と回路基板との間にコンデンサ（容量）があたかも介在されたのと同じ効果が生じるため、切り欠き部の実質的な長さが短くなる。これにより、無線装置自体が小型化でき、アンテナ効率も向上する。
【００１３】
アンテナ効率とは、無線回路部から放射されるＲＦ信号に対する、アンテナから放射されるＲＦ信号の割合をいう。例えば、無線回路部から放射されたＲＦ信号の全てがアンテナから放射された場合をアンテナ効率１００％とする。
【００１４】
【発明の実施の形態】
以下、本発明を適用した具体的な実施の形態について図面を参照しながら詳細に説明する。本実施の形態は、本発明に係る無線装置を携帯電話機に適用した例である。
【００１５】
「第１の実施の形態」
本実施の形態の無線装置１は、図１及び図２に示すように、グランド部２を有し、一端を開放した切り欠き部（スリット）３を備えた回路基板４と、この回路基板４上に設けられ、前記切り欠き部３に高周波電流を給電する無線回路部５とによりノッチアンテナを構成する無線装置である。この無線装置１は、例えば手６に持つことのできる大きさとされた筐体７に内蔵され、携帯電話機の無線装置として使用される。
【００１６】
回路基板４には、携帯電話機として必要な液晶表示装置、スピーカ、マイクなどを駆動するそれぞれの回路部（図示は省略する）と、グランド部２とが形成されている。グランド部２は、ノッチアンテナの地導体（地板）として機能し、例えば何層にも積層された多層回路構造とされる回路基板４の一層として形成され、後述する折返し部９を含めた基板全面に形成されている。図１及び図２では、回路基板４の表面層を一部破断して、その下の層として形成されるグランド部２を斜線で表した。なお、本実施の形態では、回路基板４を多層回路構造としたが、もちろん単層の回路基板４であってもよい。
【００１７】
また、この回路基板４には、ノッチアンテナとして動作する切り欠き部３が形成されている。切り欠き部３は、回路基板４の厚み方向に貫通して形成される細長い矩形形状をしたスリットとして形成されている。また、この切り欠き部３は、回路基板４の中途位置から一端側に向かってストレートに形成され、回路基板４の一端側を折り返した折返し部９に至る位置まで連続して形成されている。そして、この切り欠き部３は、前記折返し部９の端部でその切り欠きを開放している。
【００１８】
折返し部９は、図３に示すように、回路基板４の一部（一端側部）を一体的に折り曲げることにより形成されている。この折返し部９の折返し方向は、手（手の平）６に載置される側とは反対側に折り返されている。すなわち、かかる折返し部９は、手６に載置される側とは反対側の無線回路部５が形成された回路基板４の一主面４ａ側に起立する垂直部９ａと、この垂直部９ａの先端より無線回路部５側（回路基板４の他端側）へ延在する水平部９ｂとからなる。
【００１９】
垂直部９ａは、回路基板４の一主面４ａに対してほぼ垂直に起立する。水平部９ｂは、垂直部９ａの先端から前記一主面４ａとほぼ平行に前記無線回路部５が形成される側へと延在する。これら垂直部９ａと水平部９ｂとにより形成される折返し部９は、回路基板４に対して略逆Ｌ字状として回路基板４の一端側に設けられる。そして、グランド部２は、この折返し部９の先端に至る位置にまで連続して形成されている。
【００２０】
無線回路部５は、一般的な携帯電話機で使用されているＲＦ回路であり、アンテナを介して高周波信号を送信又は受信するための回路である。この無線回路部５からのＲＦ信号は、図示を省略する給電線を介して切り欠き部３の所望位置を給電部１０として給電することにより、前記切り欠き部３から放射される。
【００２１】
以上のようにして構成された無線装置１によれば、ノッチアンテナとして動作する切り欠き部３の開放端部を折り返すようにしているため、手６の影響を受け難くなり利得が向上する。また、切り欠き部３の開放端部を折り返すことによって、折返し部９までも含めた切り欠き部３の全長を物理的及び電気的の両方の面から短くすることができる。
【００２２】
すなわち、通常のノッチアンテナであれば、携帯電話機で使用する周波数の波長λの１／４波長（λ）を切り欠き部３の長さとして回路基板４にストレート溝を平坦面に形成するが、その切り欠き部３の開放端部を折り返すことによって、その折り返された分だけ当該切り欠き部３の長さは実質的に短くなる。また、図４に示すように、折返し部９の先端（水平部９ｂの先端）と回路基板４の一主面４ａとの間には、いわばコンデンサ（容量）１１が介在されるのと同じ効果が生じるため、折返し部９までも含めた切り欠き部３の長さ（全体の長さ）が短縮される。つまり、携帯電話機で使用する周波数の波長λの１／４波長に相当する長さよりも実質的に切り欠き部３の長さを短くできる。したがって、第１の実施の形態の無線装置１によれば、アンテナの小型化を図ることが可能となる。
【００２３】
ここで、無線装置１のより一層の小型化を図るには、切り欠き部３の中に誘電体物質を充填することが考えられる。誘電体物質を切り欠き部３の中に充填すると、この誘電体物質の波長短縮効果により物理的な切り欠き部３の長さを短くすることができる。しかしながら、誘電体物質を切り欠き部３に充填すると、アンテナ効率が劣化するという問題がある。そのシュミレーション例を図５に示す。
【００２４】
図５は、回路基板１２にクランク形状の切り欠き部１３を形成し、その切り欠き部１３に誘電体物質１４を充填したノッチアンテナを構成する無線装置１５であり、損失が発生している部分を等高線１６で示しある。この図５から判るように、切り欠き部１３の中に充填した誘電体物質１４中の開放端に近い部分で損失が発生している（等高線１６が密集している）ことが確認できる。
【００２５】
誘電体物質１４を切り欠き部１３に充填した場合と充填しない場合において、アンテナ効率の変化に関するシミュレーション結果の例を図６に示す。図６中Ａ線は、切り欠き部１３の中に誘電体物質１４としてガラスエポキシ樹脂を充填したときの無線装置１５、同図中Ｂ線は、前記した第１の実施の形態の無線装置１において切り欠き部３に何も充填しなかった無線装置１である。
【００２６】
この図６から判るように、誘電体物質１４を切り欠き部１３に充填した無線装置１５に対して何も切り欠き部３に充填していない無線装置１（第１の実施の形態の無線装置１）の方が、８％程アンテナ効率が向上していることが判る。
【００２７】
また、第１の実施の形態の無線装置１を２ＧＨｚ帯で作成し、その無線装置１を二つ折りに折り畳むことのできる携帯電話機のキーボタンが設けられる側の筐体に内蔵させた場合の通話時の利得測定結果を調べた。比較対象は開放端部を折り曲げていないノッチアンテナであり、アンテナ効率の差は補正して人体による利得劣化量のみを比較した。折り曲げたアンテナと被験者の手６の位置関係を図１に示す。被験者３人による通話時に想定されるさまざまな端末保持形態での結果は、水平面平均化利得（交差偏波比６ｄＢ）において平均４ｄＢ程度、第１の実施の形態の無線装置１の方が高い利得が得られた。
【００２８】
このように、第１の実施の形態の無線装置１によれば、アンテナを小型化することができると共に、簡単な構造でアンテナ効率を向上させることができ、さらに携帯電話機を保持する手による利得劣化を低減させることができる。
【００２９】
［第２の実施の形態］
第２の実施の形態の無線装置１は、図７及び図８に示すように、回路基板４を多層構造とし、そのうち一層をフレキシブルプリントケーブル１７とし、そのフレキシブルプリントケーブル１７を折り曲げて折返し部９としたものである。その他の構成は、第１の実施の形態の無線装置１と同様の構成であり、同一の構成部品については同一の符号を付するものとし、その説明は省略する。
【００３０】
第２の実施の形態の無線装置１の回路基板４は、図８に示すように、配線回路１８ａ，１８ｂを積層方向に複数層形成した、いわゆる多層基板である。その積層したうちの一層をフレキシブルプリントケーブル１７とする。このフレキシブルプリントケーブル１７は、可撓性を有するケーブルからなり、例えばケーブル全面に銅からなる導体パターンを有している。この導体パターン上には、絶縁層が形成されていてもよい。
【００３１】
そして、このフレキシブルプリントケーブル１７は、第１の実施の形態１の無線装置１と同様、折り曲げ形成されることによりその一端部に折返し部９を形成する。また、このフレキシブルプリントケーブル１７は、回路基板４に形成したグランド部２と高周波的に接続されている。ここで言う高周波的に接続させるとは、無線回路部５からの高周波電流をグランド部２を介してフレキシブルプリントケーブル１７に流すという意味である。
【００３２】
なお、フレキシブルプリントケーブル１７は、可撓性を有するために前記した折返し部９の形状をそれ自身では保持することは難しいので、この折返し部９の形状を強制的に保持させるための形態保持部材（図示は省略する）を利用する。形態保持部材は、フレキシブルプリントケーブル１７に形成された導電体などと短絡（ショート）しないようにするために、絶縁性樹脂により形成したものを使用することが好ましい。
【００３３】
このように、第２の実施の形態の無線装置１においては、ノッチアンテナの開放端部の折り返し部分をフレキシブルプリントケーブル１７で構成しているので、軽量化が図れると共に低コスト化を実現でき、且つ携帯電話機の意匠（デザイン）の自由度を高めることができる。
【００３４】
［第３の実施の形態］
第３の実施の形態の無線装置１は、図９に示すように、金属板を折り曲げて前記折返し部９としたものである。その他の構成は、第１の実施の形態の無線装置１と同様の構成であり、同一の構成部品については同一の符号を付するものとし、その説明は省略する。
【００３５】
第３の実施の形態の無線装置１においては、図９に示すように、例えば銅板などの導電性材料からなる金属板を、第１の実施の形態の無線装置１と同様、折り曲げ形成することにより折返し部９とした。この折返し部９は、第１の実施の形態の無線装置１と同じく、垂直部９ａと水平部９ｂと、これに加えてグランド部２と接触させる接触部９ｃとを有する。
【００３６】
第３の実施の形態では、この接触部９ｃをグランド部２に密着させて接触させた後、無線装置１を内部に収納させる筐体７（図９では筐体７は図示を省略してある）と回路基板４とを固定させるネジ１９により、前記折返し部９を回路基板４に固定してある。筐体７と回路基板４を固定させるネジ１９を利用して折返し部９を回路基板４に固定しているため、接触部９ｃをグランド部２に対して密着させて固定させることができ、確実な接地をとることが可能となる。また、筐体７と回路基板４とを固定させるためのネジ１９を使用して折返し部９を回路基板４に固定するため、実装面積の縮小化が図れる。
【００３７】
［第４の実施の形態］
第４の実施の形態の無線装置１は、図１０及び図１１に示すように、金属板を折り曲げ形成することによって折返し部９を形成したものであるが、その折返し部９の形状を第３の実施の形態の無線装置１のものとは異ならせている。その他の構成は、第３の実施の形態の無線装置１と同様の構成であり、同一の構成部品については同一の符号を付するものとし、その説明は省略する。
【００３８】
この第４の実施の形態の無線装置１における折返し部９は、回路基板４の一主面４ａ側にほぼ垂直に立ち上がる垂直部９ａと、この垂直部９ａの先端より前記切り欠き部３の切り欠き方向（スリットの長手方向）とほぼ直交する方向に延在して形成される、前記回路基板４とほぼ平行な平行部９ｂと、グランド部２と接触する接触部９ｃとからなる。平行部９ｂは、細長い矩形状をなす平板として形成され、前記切り欠き部３を横切って形成されている。
【００３９】
図１２は、この折返し部９を展開した平面図である。折返し部９を展開すると、切り欠き部３は、回路基板４に形成されたストレート形状の溝部３ａと、回路基板４の一端４ａと前記平行部９ｂとの間に形成される平行溝部３ｂとにより、平面略Ｌ字状の切り欠き部３が形成される。つまり、このように折返し部９を形成してもノッチアンテナを構成することができる。
【００４０】
［第５の実施の形態］
第５の実施の形態の無線装置１は、図１３に示すように、第４の実施の形態の無線装置１の折返し部９と同一の折返し部９を、同一の回路基板４上にもう一つ設けたものである。すなわち、この第５の実施の形態の無線装置１は、回路基板４上に二つのノッチアンテナを備えた無線装置である。
【００４１】
［その他の実施の形態］
以上、本発明を適用した具体的な実施の形態について説明したが、本発明は上述の実施の形態に制限されることなく種々の変更が可能である。
【００４２】
また、上述の実施の形態では、携帯電話機を例に挙げて説明したが、本発明は携帯電話機に限定されることはなく、例えばコードレス電話機やハンドヘルドＰＣや通信機能を備えたＰＤＡ（Ｐｅｒｓｏｎａｌ  Ｄｉｇｉｔａｌ  Ａｓｓｉｓｔａｎｔ）などの携帯通信端末装置に本発明を適用しても同様の作用効果がある。
【００４３】
【発明の効果】
本発明によれば、ノッチアンテナの開放端部を折り返すことにより、アンテナを小型化することができると共にアンテナ効率を向上させ、さらに人体の手などによる利得の劣化を低減することのできる無線装置を提供することができる。
【図面の簡単な説明】
【図１】第１の実施の形態の無線装置を携帯電話機に適用し、その携帯電話機を手にもった状態を示す斜視図である。
【図２】第１の実施の形態の無線装置の斜視図である。
【図３】第１の実施の形態の無線装置の側面図である。
【図４】第１の実施の形態の無線装置の側面図であり、ノッチアンテナの開放端部を折り返すことによって切り欠き部の長さを短縮できることを説明するための図である。
【図５】切り欠き部に誘電体物質を充填したときにアンテナ効率が劣化することを説明するためのシミュレーション例で、切り欠き部の開放端に近い部分で損失が発生していることを表す図である。
【図６】誘電体物質を切り欠き部に充填した場合と充填しない場合においてアンテナ効率の変化に関するシミュレーション結果を示す特性図である。
【図７】第２の実施の形態の無線装置の斜視図である。
【図８】第２の実施の形態の無線装置の回路基板を多層構造とし、そのうち一層をフレキシブルプリントケーブルとした回路基板の断面図である。
【図９】第３の実施の形態の無線装置の斜視図である。
【図１０】第４の実施の形態の無線装置の斜視図である。
【図１１】第４の実施の形態の無線装置の側面図である。
【図１２】第４の実施の形態の無線装置の折返し部を展開して示す平面図である。
【図１３】第５の実施の形態の無線装置の斜視図である。
【符号の説明】
１…無線装置
２…グランド部
３…切り欠き部
４…回路基板
５…無線回路部
６…手
７…筐体
９…折返し部
９ａ…垂直部
９ｂ…平行部
９ｃ…接触部
１０…給電部
１１…コンデンサ
１７…フレキシブルプリントケーブル
１９…ネジ
【図１】
2004215132.tif 000003
【図２】
2004215132.tif 000004
【図３】
2004215132.tif 000005
【図４】
2004215132.tif 000006
【図５】
2004215132.tif 000007
【図６】
2004215132.tif 000008
【図７】
2004215132.tif 000009
【図８】
2004215132.tif 000010
【図９】
2004215132.tif 000011
【図１０】
2004215132.tif 000012
【図１１】
2004215132.tif 000013
【図１２】
2004215132.tif 000014
【図１３】
2004215132.tif 000015